(57)【特許請求の範囲】
【請求項１】
透液性トップシートとバックシートとの間に吸収体が介在され、使用面側に長手方向に沿って左右一対の立体ギャザーが形成されるとともに、前記立体ギャザーは片側に夫々、一条ずつ形成されている吸収性物品において、
前記立体ギャザーは、前記吸収性物品の長手方向に対して、排血口部を含む排血口部対応領域と、その後側部分の臀部を含む臀部対応領域と、前記排血部対応領域と臀部対応領域との中間に位置する中間領域とに画成され、前記排血部対応領域、臀部対応領域及び中間領域は共に起立するとともに、起立状態で前記排血口部対応領域の肌に当接する面の角度と、臀部対応領域の肌に当接する面の角度とを異ならせているとともに、前記中間領域において肌に当接する面の角度が前記排血口部対応領域の肌に当接する面の角度から前記臀部対応領域の肌に当接する面の角度まで連続的に変化していることを特徴とする吸収性物品。
【請求項２】
前記立体ギャザーの肌に当接する面は、起立状態で、前記排血口部対応領域では、前記吸収性物品の中心側に向けて高くなる傾斜角度で形成され、前記臀部対応領域では、前記吸収性物品の側方側に向けて高くなる傾斜角度で形成されている請求項１記載の吸収性物品。
【請求項３】
相対的に、前記排血部対応領域における起立高さが高く、前記臀部対応領域及び中間領域の起立高さが低く設定されている請求項１、２いずれかに記載の吸収性物品。
【請求項４】
前記立体ギャザーは、折り畳み状態で、前記吸収性物品の側方側から中心側方向に延在したシートが中心側位置で側方側に折り返される第１折返し部と、この第１折返し部に連続して側方側位置で中心側方向に折り返される第２折返し部とによって三つ折りとされ、下層側から順に第１折返し面、第２折返し面、第３折返し面を有し、
前記排血口部対応領域では、前記第１折返し面、第２折返し面および第３折返し面が相互に接合されず、
前記臀部対応領域では、前記第１折返し面と第２折返し面とが相互に接合されず、前記第３折返し面と前記第２折返し面とが相互に接合されている請求項１〜３いずれかに記載の吸収性物品。
【請求項５】
前記第３折返し面および第２折返し部には、それぞれ、前記吸収性物品の長手方向に沿って弾性伸縮部材が配設されるとともに、前記第２折返し部に配設される弾性伸縮部材の張力より、前記第３折返し面に配設される弾性伸縮部材の張力の方が大きく設定されている請求項４記載の吸収性物品。
【請求項６】
前記第１折返し部に、前記吸収性物品の長手方向に沿って弾性伸縮部材が配設されている請求項４，５いずれかに記載の吸収性物品。
【発明の詳細な説明】
【技術分野】
【０００１】
本発明は、主には生理用ナプキン、おりものシート、失禁パッド、トイレタリー等に使用される吸収性物品に係り、特に身体の湾曲に沿ってフィットし、漏れ防止効果を高めた立体ギャザーを備えた吸収性物品に関する。
【背景技術】
【０００２】
従来より、生理用ナプキン、パンティライナー、失禁パッドなどの吸収性物品として、ポリエチレンシートまたはポリエチレンラミネートシート不織布などの不透液性バックシートと、不織布または透液性プラスチックシートなどの透液性トップシートとの間に綿状パルプ等からなる吸収体を介在したものが知られている。
【０００３】
この種の吸収性物品においては、身体の湾曲に沿ってフィットさせ、漏れ防止効果を高めるため、吸収性物品の長手方向に沿って種々の形態で表面側に起立する立体ギャザーが形成されている。前記立体ギャザーは、身体の表面と吸収性物品との間に隙間が生じないようにし、吸収性物品の幅方向へ体液が漏れ出るのを防止するためのものである。
【０００４】
前記立体ギャザーとしては、例えば、下記特許文献１に示されるように、吸収性物品の長手方向に、着用時に着用者の排泄部に対向配置される部位である排泄部対向部と、着用時に排泄部対向部よりも着用者の背側（後方）に配される後方部とにおいて起立するとともに、これら排泄部対向部と後方部との間に、該防漏壁が起立していない中央固定部を有する防漏壁などが知られている。下記特許文献１記載の吸収性物品は、特に前記中央固定部を有するため、排泄部対向部の領域の弾性部材の伸縮応力が後方部の領域に伝わらなくなり、より横漏れ防止と後ろ方向の漏れ防止とがそれぞれ互いに影響されることなく発現されるようになるというものである。
【特許文献１】特許第３９１９６３８号公報
【発明の開示】
【発明が解決しようとする課題】
【０００５】
しかしながら、上記特許文献１記載の吸収性物品では、前記排泄部対向部と後方部との間に形成された前記中央固定部において、立体ギャザーの高さが低く形成されているため、この中央固定部が身体の湾曲に沿ってフィットせず、立体ギャザーと身体との間に隙間が生じて体液の漏れが生じるおそれがあった。
【０００６】
また、上記特許文献１記載の吸収性物品では、後方部における立体ギャザーの形成高さが、排泄部対向部における立体ギャザーの形成高さより短いため、ナプキンのフィット性（特に着用者のお尻乃至お尻寄り部分に対するフィット性）が良好となり、ナプキンと身体とが無理なくフィットし、違和感が低減されるという効果も有している。しかしながら、立体ギャザーの形成高さを異ならせるようにしても、立体ギャザーの肌に当接する面が身体の湾曲に沿ってフィットしなければ、確実な漏れ防止効果は得られない。
【０００７】
そこで本発明の主たる課題は、吸収性物品の長手方向に亘って身体の湾曲に沿った角度でフィットさせることにより、確実な漏れ防止を実現した立体ギャザーを備えた吸収性物品を提供することにある。
【課題を解決するための手段】
【０００８】
前記課題を解決するために請求項１に係る本発明として、透液性トップシートとバックシートとの間に吸収体が介在され、使用面側に長手方向に沿って左右一対の立体ギャザーが形成されるとともに、前記立体ギャザーは片側に夫々、一条ずつ形成されている吸収性物品において、
前記立体ギャザーは、前記吸収性物品の長手方向に対して、排血口部を含む排血口部対応領域と、その後側部分の臀部を含む臀部対応領域と、前記排血部対応領域と臀部対応領域との中間に位置する中間領域とに画成され、前記排血部対応領域、臀部対応領域及び中間領域は共に起立するとともに、起立状態で前記排血口部対応領域の肌に当接する面の角度と、臀部対応領域の肌に当接する面の角度とを異ならせているとともに、前記中間領域において肌に当接する面の角度が前記排血口部対応領域の肌に当接する面の角度から前記臀部対応領域の肌に当接する面の角度まで連続的に変化していることを特徴とする吸収性物品が提供される。
【０００９】
上記請求項１記載の発明では、前記吸収性物品の長手方向に対して、排血口部を含む排血口部対応領域と、その後側部分の臀部を含む臀部対応領域と、前記排血部対応領域と臀部対応領域との中間に位置する中間領域とに画成され、前記排血部対応領域、臀部対応領域及び中間領域は共に起立するようにし、起立状態で前記排血口部対応領域の肌に当接する面の角度と、臀部対応領域の肌に当接する面の角度とを異ならせているとともに、前記中間領域において肌に当接する面の角度を前記排血口部対応領域の肌に当接する面の角度から前記臀部対応領域の肌に当接する面の角度まで連続的に変化させるようにした。
【００１０】
従って、立体ギャザーの肌に当接する面、例えば立体ギャザーがＺ状に折り返されて形成されたものであればその最上層の折返し面の角度を、排血口部対応領域と臀部対応領域とで異ならせているため、各領域に対応した身体の湾曲に沿った角度で立体ギャザーを肌にフィットさせることができるようになり、経血等の確実な漏れが防止できるようになっている。
【００１１】
また、前記排血部対応領域と臀部対応領域との中間に位置する中間領域も起立させるとともに、この領域では肌に当接する面の角度が連続的に変化させるようにしているため、該中間領域においても、吸収性物品の幅方向へ体液が漏れ出るのを確実に防止することができる。
【００１２】
請求項２に係る本発明として、前記立体ギャザーの肌に当接する面は、起立状態で、前記排血口部対応領域では、前記吸収性物品の中心側に向けて高くなる角度で形成され、前記臀部対応領域では、前記吸収性物品の側方側に向けて高くなる角度で形成されている請求項１記載の吸収性物品が提供される。
【００１３】
上記請求項２記載の発明は、各領域の立体ギャザーの肌に当接する面の起立状態における角度を具体的に規定したものである。すなわち、排血口部対応領域では、吸収性物品の中心側に向けて高くなる角度で形成することにより、脚の付け根から股間に亘って形成される凹状の身体の部分に沿って、前記肌当接面をフィットさせることができるようになり、逆に臀部対応領域では、吸収性物品の側方側に向けて高くなる角度で形成することにより、凸状の臀部の丸みに沿って、前記肌当接面をフィットさせることができるようになる。これにより、経血等の確実な漏れ防止が実現できる。
【００１４】
請求項３に係る本発明として、相対的に、前記排血部対応領域における起立高さが高く、前記臀部対応領域及び中間領域の起立高さが低く設定されている請求項１、２いずれかに記載の吸収性物品が提供される。
【００１５】
上記請求項３記載の発明では、相対的に、前記排血部対応領域における起立高さが高く、前記臀部対応領域及び中間領域の起立高さを低く設定することにより、最も漏れの多い排血部対応領域での横漏れを確実に防止するようにしている。
【００１６】
請求項４に係る本発明として、前記立体ギャザーは、折り畳み状態で、前記吸収性物品の側方側から中心側方向に延在したシートが中心側位置で側方側に折り返される第１折返し部と、この第１折返し部に連続して側方側位置で中心側方向に折り返される第２折返し部とによって三つ折りとされ、下層側から順に第１折返し面、第２折返し面、第３折返し面を有し、
前記排血口部対応領域では、前記第１折返し面、第２折返し面および第３折返し面が相互に接合されず、
前記臀部対応領域では、前記第１折返し面と第２折返し面とが相互に接合されず、前記第３折返し面と前記第２折返し面とが相互に接合されている請求項１〜３いずれかに記載の吸収性物品が提供される。
【００１７】
上記請求項４記載の発明は、上記請求項１〜３記載の発明において、前記排血口部対応領域の肌に当接する面の角度と、臀部対応領域の肌に当接する面の角度とを異ならせるための具体的な手段を規定したものである。立体ギャザーを上述の通り構成することにより、各領域の肌に当接する面の角度は、排血口部対応領域で吸収性物品の中心側に向けて高く、臀部対応領域で吸収性物品の側方側に向けて高く形成されるようになる。
【００１８】
請求項５に係る本発明として、前記第３折返し面および第２折返し部には、それぞれ、前記吸収性物品の長手方向に沿って弾性伸縮部材が配設されるとともに、前記第２折返し部に配設される弾性伸縮部材の張力より、前記第３折返し面に配設される弾性伸縮部材の張力の方が大きく設定されている請求項４記載の吸収性物品が提供される。
【００１９】
上記請求項５記載の発明では、立体ギャザーの自由端部の伸縮力を強化するため、第３折返し面に弾性伸縮部材を配設するとともに、立体ギャザーがくの字状に起立しやすくするため、第２折返し部に弾性伸縮部材を配設するようにしたものである。このとき、第２折返し部に配設される弾性伸縮部材の張力より、第３折返し面に配設される弾性伸縮部材の張力の方が大きくなるように設定することにより、立体ギャザーがくの字状に起立した状態を維持しやすくなる。
【００２０】
請求項６に係る本発明として、前記第１折返し部に、前記吸収性物品の長手方向に沿って弾性伸縮部材が配設されている請求項４，５いずれかに記載の吸収性物品が提供される。
【００２１】
上記請求項６記載の発明では、第１折返し部に弾性伸縮部材を配設することにより、吸収体に湾曲効果が発揮され、吸収性物品全体を身体の湾曲にフィットさせやすくなる。
【発明の効果】
【００２２】
以上詳説のとおり本発明によれば、吸収性物品の長手方向に亘って身体の湾曲に沿った角度でフィットさせることにより、確実な漏れ防止を実現した立体ギャザーを備えた吸収性物品が提供できる。
【発明を実施するための最良の形態】
【００２３】
以下、本発明の実施の形態について図面を参照しながら詳述する。
〔生理用ナプキン１の基本構造〕
図１は本発明に係る生理用ナプキン１の展開図であり、図２は図１のII−II線矢視図、図３は図１のIII−III線矢視図、図４は図１のIV−IV線矢視図、図５は図１のＶ−Ｖ線矢視図である。
【００２４】
前記生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４と、この吸収体４の形状保持および拡散性向上のために前記吸収体４を囲繞するクレープ紙５と、前記吸収体４の略側縁部を起立基端とし、かつ少なくとも排血口部Ｈを含むように前後方向に所定の区間内において表面側に突出して設けられた左右一対の立体ギャザーＢＳ、ＢＳとから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、立体ギャザー形成用不織布６とがホットメルトなどの接着剤やヒートシール等の接着手段によって接合され、これら不透液性バックシート２と立体ギャザー形成用不織布６とによる積層シート部分によって側方に突出するウイング状フラップＷ、Ｗが形成されているとともに、これよりも臀部側に位置する部分に第２ウイング状フラップＷＢ、ＷＢが形成されている。
【００２５】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の粘着剤層（図示せず）が形成され、身体への装着時に生理用ナプキン１を下着に固定するようになっている。前記不透液性バックシート２としては、プラスチックフィルムと不織布とを積層させたポリラミ不織布を用いてもよい。
【００２６】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３に多数の透孔を形成した場合には、経血やおりもの等（以下、まとめて体液という。）が速やかに吸収されるようになり、ドライタッチ性に優れたものとなる。
【００２７】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００２８】
本生理用ナプキン１の表面には、ナプキン１の長手方向に細長く、かつ周方向に閉合する圧搾溝８が形成されている。また、前記圧搾溝８の前端部８ａの前側には、間を空けて前端部に結合する半円弧状の圧搾溝８ｂが形成され、前記前端部圧搾溝８ａとで三日月形状の貯留ポケットが形成されている。その結果、ナプキン１の前端部を船先状に屈曲させ肌に密着させるとともに、体液が前端部側に流出したとしても、貯留部となって体液の流出を阻止するようになっている。一方、ナプキン１の後端部には、複合半円弧状の圧搾溝８ｃが独立して形成され、体液が後部側に流出したとしても貯留部となって体液の流出を阻止するようになっている。なお、前記圧搾溝８、８ａ、８ｂ、８ｃは、熱及び／又は圧力によるエンボッシングや、超音波、またはその組合せ等、任意の手段によって付与することが可能である。
【００２９】
前記透液性トップシート３の幅寸法は、図示例では、図２〜図５の横断面図に示されるように、吸収体４の幅よりも若干長めとされ、吸収体４を覆うだけに止まり、前記立体ギャザーＢＳは前記透液性トップシート３とは別の前記立体ギャザー形成用不織布６によって形成され、この立体ギャザー形成用不織布６が立体ギャザーＢＳの外側にまで延在して、前記不透液性バックシート２の表面側に積層されている。この立体ギャザー形成用不織布６は、経血やおりもの等が浸透するのを防止する、あるいは肌触り感を高めるなどの目的に応じて、適宜の撥水処理または親水処理を施した不織布素材を用いて構成されている。かかる不織布６としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３０】
前記立体ギャザー形成用不織布６は、図２〜図５に示されるように、不透液性バックシート２の外縁までの範囲に亘ってホットメルトなどの接着剤によって接着し、これら前記立体ギャザー形成用不織布６と不透液性バックシート２との積層シート部分により、ほぼ体液排出部に相当する吸収体側部位置に左右一対のウイング状フラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１０…，１１…を備え、ショーツに対する装着時に、前記ウイング状フラップＷ、Ｗを折返し線ＲＬ位置にて反対側に折り返し、ショーツのクロッチ部分に巻き付けて止着するようになっている。
【００３１】
前記立体ギャザーＢＳを形成する立体ギャザー形成用不織布６は、二重に折り返されたシートが用いられ、この二重シート内部の所定位置に、その高さ方向中間部に両端または長手方向の適宜の位置が固定された複数条の糸状弾性伸縮部材２１…、２２、２３が配設され、図２および図４に示されるように、排血口部Ｈを含む所定の長手範囲に亘って起立状態となり、内側に開口を向けたポケットＰ、Ｐが形成されるようになっている。
【００３２】
以下、この立体ギャザーＢＳの構造について詳述する。
〔立体ギャザーＢＳの構造〕
以下、前記立体ギャザーＢＳの構造について詳述する。
【００３３】
本発明に係る立体ギャザーＢＳは、図１に示されるように、ナプキン１の長手方向に対して、排血口部Ｈを含みナプキン１の前側に位置する排血口部対応領域Ｒ１と、その後側に位置し臀部を含む臀部対応領域Ｒ２と、これら排血口部対応領域Ｒ１および臀部対応領域Ｒ２の中間に位置する中間領域Ｒ３とに画成されている。
【００３４】
また、前記立体ギャザーＢＳは、図６に示されるように、ナプキン１の横断面に対して、折り畳み状態で、ナプキン１の側方側から中心側方向に延在したシートが中心側位置で側方側に折り返される第１折返し部３２と、この第１折返し部３２に連続して側方側位置で中心側方向に折り返される第２折返し部３３とによって三つ折りとされ、下層側から順に第１折返し面３５、第２折返し面３６及び第３折返し面３７を有するように形成されている。ここで、前記第３折返し面３７は、着用者の肌に当接する面である肌当接面３１を構成している。
【００３５】
そして、前記立体ギャザーＢＳは、前記排血部対応領域Ｒ１、臀部対応領域Ｒ２及び中間領域Ｒ３は共に起立するとともに、起立状態で、図２に示される排血口部対応領域Ｒ１の前記肌当接面３１の角度と、図３に示される臀部対応領域Ｒ２の前記肌当接面３１の角度とを異ならせている。すなわち、前記肌当接面３１は、排血口部対応領域Ｒ１では、図２に示されるように、ナプキン１の中心側に向けて高くなる傾斜角度で形成され、臀部対応領域Ｒ２では、図３に示されるように、ナプキン１の側方側に向けて高くなる傾斜角度で形成されている。
【００３６】
前記排血口部対応領域Ｒ１と臀部対応領域Ｒ２との中間に画成される中間領域Ｒ３では、図４に示されるように、肌当接面３１の角度が連続的に変化している。また、排血口部対応領域Ｒ１より前側領域および臀部対応領域Ｒ２より後側領域では、図５に示されるように、第１折返し面３５、第２折返し面３６および第３折返し面３７が、折り畳み状態で相互に接合されて起立しないようになっている。
【００３７】
前記各領域Ｒ１，Ｒ２，Ｒ３の肌当接面３１がそれぞれ前述の起立状態とするためには、図７に示されるように、各折返し面同士を所定の接合領域において、ホットメルトなどの接着剤やヒートシール等の接着手段によって接合する。ここで、図７(A)は前記第２折返し面３６と第３折返し面３７とを接合する接合領域Ｘを、図７(B)は前記第１折返し面３５と第２折返し面３６とを接合する接合領域Ｙをそれぞれ図示したものである。
【００３８】
具体的に詳説すると、前記接合領域Ｘは、図７(A)に示されるように、ナプキン１の前側端部から排血口部対応領域Ｒ１の前側部までの範囲と、ナプキン１の後側端部から中間領域Ｒ３の中間部までの範囲としている。また、前記接合領域Ｙは、図７(B)に示されるように、ナプキン１の前側端部から排血口部対応領域Ｒ１の前側までの範囲と、ナプキン１の後側端部から臀部対応領域Ｒ２の後側までの範囲としている。
【００３９】
すなわち、排血口部対応領域Ｒ１では、図２に示されるように、第１折返し面３５、第２折返し面３６および第３折返し面３７が相互に接合されず、臀部対応領域Ｒ２では、図３に示されるように、第１折返し面３５および第２折返し面３６が相互に接合されず、前記第３折返し面３７および第２折返し面３６が相互に接合されている。
【００４０】
さらに、前記立体ギャザーＢＳを起立状態とするためには、ナプキン１の長手方向に沿って弾性伸縮部材を伸張状態で所定の位置に配設する。具体的には、図２〜図４に示されるように、第３折返し面３７の先端側寄りと中間部に各１本ずつ弾性伸縮部材２１、２１を配設するとともに、第２折返し部３３に１本の弾性伸縮部材２２を配設する。前記第３折返し面３７に配設する弾性伸縮部材２１、２１は、立体ギャザーＢＳの自由端部の伸縮力を強化するためのものであり、前記第２折返し部３３に配設する弾性伸縮部材２２は、立体ギャザーＢＳがくの字状に起立しやすくするためのものである。
【００４１】
このとき、前記第２折返し部３３に配設する弾性伸縮部材２２の張力より、第３折返し面３７に配設する弾性伸縮部材２１、２１の張力の方が大きくなるように設定するようにすることが好ましい。このようにすると、排血口部対応領域Ｒ１において立体ギャザーＢＳがくの字状に起立した状態を維持しやすくなる。
【００４２】
また、図２〜図４に示されるように、第１折返し部３２に、ナプキン１の長手方向に沿って弾性伸縮部材２３を配設するようにすることが好ましい。このようにすると、吸収体４に対する湾曲効果が発揮されるようになり、ナプキン１全体が身体の湾曲に沿ってフィットしやすくなる。
【００４３】
上述のようにして構成された立体ギャザーＢＳを有するナプキン１の使用に際しては、排血口部対応領域Ｒ１では、図８(A)に示されるように、肌当接面３１がナプキン１の中心側に向けて高くなる角度で形成されているため、肌当接面３１が脚の付け根部分の凹部に沿ってフィットしやすくなる。さらに、臀部対応領域Ｒ２では、同図(B)に示されるように、肌当接面３１がナプキン１の側方側に向けて高くなる角度で形成されているため、肌当接面３１が凸状の臀部の丸みに沿ってフィットしやすくなり、違和感も少なくできる。
【００４４】
〔他の形態例〕
(1)上記形態例では、立体ギャザーＢＳは、前記透液性トップシート３とは別の前記立体ギャザー形成用不織布６によって形成され、この立体ギャザー形成用不織布６が立体ギャザーＢＳの外側にまで延在して、前記不透液性バックシート２の表面側に積層された構成としたが、図９に示されるように、立体ギャザーＢＳを立体ギャザー形成用不織布６によって形成し、立体ギャザーＢＳの外側には、前記不透液性バックシート２の表面側にサイド不織布７を積層した構造としても良い。
【図面の簡単な説明】
【００４５】
【図１】本発明の生理用ナプキン１の展開図である。
【図２】その横断面図（図１のII−II線矢視図）である。
【図３】その横断面図（図１のIII−III線矢視図）である。
【図４】その横断面図（図１のIV−IV線矢視図）である。
【図５】その横断面図（図１のＶ−Ｖ線矢視図）である。
【図６】立体ギャザーＢＳの折り畳み状態を示す要部拡大断面図である。
【図７】(A)は第１折返し面３５と第２折返し面３６との接合領域Ｘ、(B)は第２折返し面３６と第３折返し面３７との接合領域Ｙである。
【図８】生理用ナプキン１の着用状態を示す、(A)は排血口部対応領域Ｒ１の横断面図、(B)は臀部対応領域Ｒ２の横断面図である。
【図９】立体ギャザーＢＳの他の形態例を示す要部拡大横断面図である。
【符号の説明】
【００４６】
１…生理用ナプキン、２…不透液性バックシート、３…透液性トップシート、４…吸収体、５…クレープ紙、６…立体ギャザー形成用不織布、８・８ａ〜８ｃ…圧搾溝、３１…肌当接面部、３２…第１折返し部、３３…第２折返し部、３５…第１折返し面、３６…第２折返し面、３７…第３折返し面、ＢＳ…立体ギャザー、Ｒ１…排血口部対応領域、Ｒ２…臀部対応領域、Ｒ３…中間領域、Ｗ…ウイング状フラップ、ＷＢ…臀部側ウイング状フラップ
【図１】
0005464822.tif 000002
【図２】
0005464822.tif 000003
【図３】
0005464822.tif 000004
【図４】
0005464822.tif 000005
【図５】
0005464822.tif 000006
【図６】
0005464822.tif 000007
【図７】
0005464822.tif 000008
【図８】
0005464822.tif 000009
【図９】
0005464822.tif 000010